(57)【要約】【課題】脱水槽内に入れた衣類などの被脱水処理物のアンバランスによる振動を有効に抑制できるようにしたバランサーを提供する。【解決手段】周壁３ａに複数の脱水孔４を有し、高速回転駆動される脱水槽３を備えた脱水機において、伸縮性及び弾性に富んだ環状のチューブ８内に流体Ｗを充填してなるバランサー７を脱水槽３の周壁３ａの内周面に亘って取り付け、衣類などの被脱水処理物９を入れた脱水槽３を高速回転させて脱水処理する際に、被脱水処理物９が周壁３ａの周方向の一部に片寄って位置する時にその片寄った被脱水処理物９が遠心力を受けてバランサー７の環状チューブ８を押圧することにより、押圧されたチューブ８部分の流体Ｗが直径方向反対側のチューブ８部分側へと内部移動して、脱水槽３全体の重量バランスをとる。【選択図】図２
2011200631.tif 000002
【特許請求の範囲】
【請求項１】
周壁に複数の脱水孔を有し、高速回転駆動される脱水槽を備えた脱水機において、伸縮性及び弾性に富んだ環状のチューブ内に流体を充填してなるバランサーを脱水槽の周壁の内周面に亘って取り付け、衣類などの被脱水処理物を入れた脱水槽を高速回転させて脱水処理する際に、被脱水処理物が周壁の周方向の一部に片寄って位置する時にその片寄った被脱水処理物が遠心力を受けてバランサーの環状チューブを押圧することにより、押圧されたチューブ部分の流体が直径方向反対側のチューブ部分側へと内部移動して、脱水槽全体の重量バランスをとるようにしたことを特徴とする脱水機。
【請求項２】
バランサーの環状チューブは、周方向所要間隔おきに固定バンドによって脱水槽の周壁内周面に固定され、各固定バンドは、伸縮性及び弾性に富んだ帯状材により形成された略Ｕ字状の抱持部と両端部の取付片とからなるもので、環状チューブを抱持部により抱持して、両端部の取付部を周壁内周面にビス止めするようになっていることを特徴とする請求項１に記載の脱水機。
【請求項３】
周壁に複数の脱水孔を有し、高速回転駆動される脱水槽を備えた脱水機において、伸縮性及び弾性に富んだ正面視矩形状のバランサー本体内に流体を充填してなるバランサーを脱水槽の周壁の内周面に亘って取り付け、衣類などの被脱水処理物を入れた脱水槽を高速回転させて脱水処理する際に、被脱水処理物が周壁の周方向の一部に片寄って位置する時にその片寄った被脱水処理物が遠心力を受けて前記バランサーのバランサー本体を押圧することにより、押圧された前記バランサー本体内の流体が直径方向反対側のバランサー本体部分側へと内部移動して、脱水槽全体の重量バランスをとるようにしたことを特徴とする脱水機。
【請求項４】
前記バランサー本体は、周方向所要間隔おきに透孔が穿設される共に、鳩目金具によって脱水槽の周壁内周面に固定され、各鳩目金具は、夫々前記透孔及び脱水孔を連通させるように透孔及び脱水孔に嵌着されてなることを特徴とする請求項３に記載の脱水機。
【発明の詳細な説明】
【技術分野】
【０００１】
本発明は、脱水兼用洗濯機や染色機の脱水機に関するもので、脱水槽内に入れた衣類などの被脱水処理物のアンバランスによる振動を抑制するようにした脱水機に関する。
【背景技術】
【０００２】
従来、脱水兼用洗濯機の脱水槽内に入れた洗濯物が周壁の周方向の一部に片寄って位置するようなアンバランスによって生ずる振動を抑制するために、例えばバランスリングを脱水槽の上部に設けることが提案されているが、そのようなバランスリングによっては、十分な振動抑制効果が得られず、振動による騒音などの問題が未だ残っている。
【発明の概要】
【発明が解決しようとする課題】
【０００３】
本発明は、上記の事情に鑑み、脱水槽内に入れた衣類などの被脱水処理物のアンバランスによる振動を有効に抑制できるようにしたバランサーを提供することを目的とする。
【課題を解決するための手段】
【０００４】
上記課題を解決するための手段を、後述する実施形態の参照符号を付して説明すると、請求項１に係る発明は、周壁３ａに複数の脱水孔４を有し、高速回転駆動される脱水槽３を備えた脱水機において、伸縮性及び弾性に富んだ環状のチューブ８内に流体Ｗを充填してなるバランサー７を脱水槽３の周壁３ａの内周面に亘って取り付け、衣類などの被脱水処理物９を入れた脱水槽３を高速回転させて脱水処理する際に、被脱水処理物９が周壁３ａの周方向の一部に片寄って位置する時にその片寄った被脱水処理物９が遠心力を受けてバランサー７の環状チューブ８を押圧することにより、押圧されたチューブ８部分の流体Ｗが直径方向反対側のチューブ８部分側へと内部移動して、脱水槽３全体の重量バランスをとるようにしたことを特徴とする。
【０００５】
請求項２は、請求項１に記載の脱水機において、バランサー７の環状チューブ８は、周方向所要間隔おきに固定バンド１０によって脱水槽３の周壁３ａ内周面に固定され、各固定バンド１０は、伸縮性及び弾性に富んだ帯状材により形成された略Ｕ字状の抱持部１１と両端部の取付片１２とからなるもので、環状チューブ８を抱持部１により抱持して、両端部の取付部１２を周壁３ａ内周面にビス１３止めするようになっていることを特徴とする。
【０００６】
一方、請求項３に係る発明は、周壁３ａに複数の脱水孔４を有し、高速回転駆動される脱水槽３を備えた脱水機において、伸縮性及び弾性に富んだ正面視矩形状のバランサー本体２１内に流体Ｗを充填してなるバランサー２０を脱水槽３の周壁３ａの内周面に亘って取り付け、衣類などの被脱水処理物９を入れた脱水槽３を高速回転させて脱水処理する際に、被脱水処理物９が周壁３ａの周方向の一部に片寄って位置する時にその片寄った被脱水処理物９が遠心力を受けて前記バランサー２０のバランサー本体２１を押圧することにより、押圧された前記バランサー本体２１内の流体Ｗが直径方向反対側のバランサー本体２１部分側へと内部移動して、脱水槽３全体の重量バランスをとるようにしたことを特徴とする。
【０００７】
また、請求項４は、請求項３に記載の脱水機において、前記バランサー本体２１は、周方向所要間隔おきに透孔２１ａが穿設される共に、鳩目金具２２によって脱水槽３の周壁３ａ内周面に固定され、各鳩目金具２２は、夫々前記透孔２１ａ及び脱水孔４を連通させるように透孔２１ａ及び脱水孔４に嵌着されてなることを特徴とする。
【発明の効果】
【０００８】
上記解決手段による発明の効果を、後述する実施形態の参照符号を付して説明すると、請求項１に係る発明によれば、脱水処理を行う際に、脱水槽３内に入っている衣類などの被脱水処理物９が、周壁３ａの周方向の一部に片寄って位置する時は、その片寄った被脱水処理物９が遠心力を受けてバランサー７のチューブ８を押圧することにより、この押圧されたチューブ８部分の流体Ｗが直径方向反対側のチューブ８部分側へと内部移動して、脱水槽３全体の重量バランスをとる。それゆえ、脱水槽３の振動が抑制され、その振動による騒音や脱水機全体のガタつきが軽減される。
【０００９】
請求項２に係る発明によれば、固定バンド１０を、伸縮性及び弾性に富んだ帯状材により形成された略Ｕ字状の抱持部１１と両端部の取付片１２とで構成して、バランサー７の環状チューブ８を抱持部１１により抱持し、両端部の取付部１２を周壁３ａ内周面にビス１３止めすることにより、バランサー７の取付け作業を容易に行うことができる。また、脱水槽３の周壁３ａ内で片寄って位置する被脱水処理物９が遠心力を受けて環状チューブ８を押圧することにより、その押圧されたチューブ８部分の流体Ｗが直径方向反対側のチューブ８部分側へと内部移動して、そのチューブ８部分が拡径膨張する時に抱持部１１が伸張するから、流体Ｗのスムーズな内部移動を妨げることがない。
【００１０】
一方、請求項３に係る発明によれば、脱水処理を行う際に、脱水槽３内に入っている衣類などの被脱水処理物９が、周壁３ａの周方向の一部に片寄って位置する時は、その片寄った被脱水処理物９が遠心力を受けてバランサー２０のバランサー本体２１を押圧することにより、この押圧されたバランサー本体２１部分の流体Ｗが直径方向反対側のバランサー本体２１部分側へと内部移動して、脱水槽３全体の重量バランスをとる。それゆえ、脱水槽３の振動が抑制され、その振動による騒音や脱水機全体のガタつきが軽減される。
【００１１】
また、請求項４に係る発明によれば、バランサー本体２１を脱水槽３の周壁３ａ内周面に固定させるにあたって、バランサー本体２１の周方向所要間隔置きに透孔２１ａを穿設し、その透孔２１ａと脱水槽３の周壁３ａに必ず設けられている脱水孔４を利用して鳩目金具２２によって固定させるだけでよいから、取り付け作業が簡単容易となる。
【図面の簡単な説明】
【００１２】
【図１】本発明に係る脱水機の第１実施形態である脱水兼用洗濯機を示す縦断面図である。
【図２】同脱水兼用洗濯機の脱水機の使用状態を示すもので、図１のＸ−Ｘに沿って断面したような拡大断面図である。
【図３】（ａ）はバランサーのチューブを脱水槽の周壁内周面に固定バンドによって固定する状態を示す断面図、（ｂ）は固定バンドを示す斜視図である。
【図４】本発明に係る脱水機の第２実施形態である脱水兼用洗濯機を示す縦断面図である。
【図５】同脱水兼用洗濯機の脱水機の使用状態を示すもので、図４のＹ−Ｙに沿って断面したような拡大断面図である。
【図６】（ａ）はバランサー本体を脱水槽の周壁内周面に鳩目金具によって固定する状態を示す断面図、（ｂ）は鳩目金具を示す斜視図である。
【発明を実施するための形態】
【００１３】
＜第１実施形態＞
以下に本発明の第１実施形態を図１〜図３に基づいて説明すると、脱水兼用洗濯機を示す図１において、１は洗濯機の外箱、２は外箱１内に洗濯水・濯ぎ水を貯える水槽で、防振装置（図示せず）によって外箱１に揺動自在に支持されている。３は水槽２内に中心軸線Ｇの回りに回転自在に設置された洗濯兼脱水槽で、周壁３ａと底壁３ｂとにより有底円筒状に形成されていて、周壁３ａには多数の脱水孔４が縦、横、斜めに所定間隔おきに穿設されている。５は洗濯兼脱水槽３の底壁３ｂ上面に回転自在に設けられた回転翼である。６は洗濯兼脱水槽３の底壁３ｂ上にある回転翼５及び脱水槽３の回転駆動力を提供する駆動装置で、回転駆動力を発生させるモータＡと、歯車装置Ｂと、クラッチ装置Ｃと、モータ側プーリーＤと主軸側プーリーＥとを連動連結するベルトＦとからなるもので、洗濯時に回転翼５を回す洗濯用軸１４の回転駆動と、脱水時に洗濯兼脱水槽３を回す脱水用軸１５の回転駆動とをクラッチ装置Ｃによって切り換えるようになっている。
【００１４】
７は洗濯兼脱水槽３の周壁３ａの内周面に亘るようにして上下複数段に配設されたバランサーで、このバランサー７は、弾性及び伸縮性に富んだ環状のチューブ８内に流体Ｗを充填することによって形成されたもので、衣類などの被脱水処理物９を入れた脱水槽３を高速回転させて脱水処理する際に、被脱水処理物９が周壁３ａの周方向の一部に片寄って位置する時にその片寄った被脱水処理物９が遠心力を受けてバランサー７の環状チューブ８を押圧することにより、押圧されたチューブ８部分の流体Ｗが直径方向反対側のチューブ８部分側へと内部移動して、脱水槽３全体の重量バランスをとるようになっている。
【００１５】
各バランサー７の環状チューブ８は、弾性及び伸縮性に富みしかも強度の大きな高分子材料からなる合成ゴムなどによって、例えばゴム製浮輪のような平面視円形のリング状に形成されたもので、チューブ８の横断面形状は図１に示すような円形とされる。尚、この環状チューブ８には、図示は省略するが、所要箇所に流体充填口が設けられていて、この充填口からチューブ８内に流体Ｗとしての例えば水が、内部に空気層を形成しないように満杯状態に充填され、その充填口はキャップで密封閉栓されている。
【００１６】
上記のように流体Ｗを充填した環状チューブ８からなるバランサー７は、図１に示すように、脱水槽３の周壁３ａ内周面下半部側に上下に間隔をおいて例えば３段に配設され、各環状チューブ８は、この図１に示すように、周方向所要間隔おきに固定バンド１０によって、脱水槽３の周壁３ａ内周面に固定されている。なお、本実施形態においては、横断面円形の環状チューブ８からなるバランサー７を脱水槽３の周壁３ａ内周面に複数段（例えば３段）配設させている例を示したが、環状チューブ８は、横断面が円形状のものに限らず、楕円形その他の形状のものとすることができ、また複数段に配設する代りに、横断面形状が上下に長い長円形状の単一の環状チューブを周壁３ａ内周面の所要位置に取り付けるようにすることもできる。
【００１７】
一方、各固定バンド１０は、図３の（ｂ）に示すように、チューブ８と同じく伸縮性及び弾性に富んでしかも高強度を有する帯板状の材料によって形成された略Ｕ字状の抱持部１１と、このＵ字状の抱持部１１の両端部に一体に形成された、ビス挿通孔１２ａ，１２ａ付きの取付片１２，１２とからなるもので、バランサー７の取り付けにあたっては、図３の（ａ）に示すように、環状チューブ８をＵ字状の抱持部１１で抱持し、この抱持部１１の両端部の取付部１２，１２を周壁３ａ内周面に当て付けて、ビス１３をビス挿通孔１２ａから周壁３ａにねじ込むことにより、簡単容易に取り付けることができる。また本実施形態によれば、固定バンド１０を、伸縮性及び弾性に富んだ帯状材により形成された略Ｕ字状の抱持部１１と両端部の取付片１２とにより構成し、バランサー７の環状チューブ８を抱持部１１により抱持し、両端部の取付部１２を周壁３ａ内周面にビス１３止めしていることから、脱水槽３の周壁３ａ内で片寄って位置する被脱水処理物９が遠心力を受けて環状チューブ８を押圧することにより、その押圧されたチューブ８部分の流体Ｗが直径方向反対側のチューブ８部分側へと内部移動して、そのチューブ８部分が拡径膨張すると、固定バンド１０の抱持部１１が図３の（ａ），（ｂ）に示すように伸張して、流体Ｗのスムーズな内部移動を妨げることがない。そしてこのような固定バンド１０を使用することによって、バランサー７の取付け作業を容易に行うことができる。
【００１８】
次に、上記のように構成される脱水兼用洗濯機の使用を説明すると、洗濯時は、洗濯用軸１４を介して洗濯兼脱水槽３底部にある回転翼５が正逆回転され、それにより洗濯を行うもので、この時、洗濯水及び濯ぎ水は、図１に示すトップカバー１６に設けられた給水口１７から水槽２に供給され、洗濯兼脱水槽３の脱水孔４を通じて水槽２から脱水槽３内に溜められる。洗濯後の排水は、排水ホース１８によって行う。尚、排水ホース１８の取付端部側には排水弁１９が設けてある。
【００１９】
そして、脱水時には、脱水用軸１５を介して洗濯兼脱水槽３が図２の矢印Ｐの一方向に高速回転され、それによって脱水処理を行う。この脱水処理の際に、洗濯兼脱水槽３内に入っている衣類などの被脱水処理物９が、図２に示すように周壁３ａの周方向の一部に片寄って位置する時は、その片寄った被脱水処理物９が遠心力を受けてバランサー７の環状チューブ８を押圧することによって、この押圧されたチューブ８部分の流体Ｗは、図２の矢印Ｈで示すように直径方向反対側のチューブ８部分側へと内部移動して、洗濯兼脱水槽３全体の重量バランスをとるようになるから、洗濯兼脱水槽３の振動が抑制され、その振動による騒音や洗濯機全体のガタつきが軽減される。
【００２０】
また脱水処理の際に、遠心力を受けた水は周壁３ａの脱水孔４を通して水槽２内に排出され、水槽２内から排水ホース１８を通して外部へ排出される。
【００２１】
＜第２実施形態＞
次に、本発明の第２実施形態を図４〜図６に基づいて説明する。なお、第１実施形態と同一構成については、同一の符号を付し、説明は省略する。
【００２２】
本実施形態に係る脱水兼用洗濯機は、図４に示すように、第１実施形態に係る脱水兼用洗濯機と略同一であるが、バランサー及びバランサーの取り付け方法が異なる。
【００２３】
本実施形態に係るバランサー２０は、図４及び図５に示すように、洗濯兼脱水槽３の周壁３ａの内周面に亘って配設され、伸縮性及び弾性に富んだ正面視矩形状のバランサー本体２１内に流体Ｗが充填されて形成されている。
【００２４】
一方、バランサー本体２１は、例えば合成樹脂等からなるもので、図４及び図６に示すように、周方向所要間隔おきに透孔２１ａが穿設され、図示はしないが、所要箇所に流体充填口が設けられている。この流体充填口には、バランサー本体２１内に例えば水等の流体Ｗが流入されるようになっており、バランサー内部に空気層を形成しないように満杯状態に充填されるようになっている。そして、その充填口はキャップ等で密閉されるようになっている。
【００２５】
このように流体Ｗを充填したバランサー本体２１からなるバランサー２０は、図４に示すように、脱水槽３の周壁３ａの内周面略全面に亘って配設され、バランサー本体２１は、図４に示すように、周方向所要間隔おきに鳩目金具２２によって、脱水槽３の周壁３ａの内周面に固定されている。
【００２６】
鳩目金具２２は、図６（ｂ）に示すように、薄い金属板を打抜き成形した雄型２３と雌型２４とからなり、この雄型２３は、円筒部２３ａと、その円筒部２３ａの両縁の一方に設けられた環状の鍔部２３ｂに形成され、雌型２４は雄型２３の円筒部２３ａに挿通可能な環状に形成されている。
【００２７】
このように形成される鳩目金具２２を用いて、バランサー本体２１を脱水槽３の周壁３ａ内周面に固定させるには、まず、図６（ａ）に示すように、バランサー本体２１に穿設されている透孔２１ａと脱水槽３の周壁３ａに穿設されている脱水孔４とが連通するように、脱水槽３の周壁３ａの内周面にバランサー本体２１を当接させる。そしてこの状態で、鳩目金具２２の雌型２４を脱水槽３の周壁３ａの外周面に当接させ、その雌型２４に脱水槽３の周壁３ａの内周面側から上記雄型２３の円筒部２３ａを透孔２１ａ及び脱水孔４を介して挿通し、その挿通した円筒部２３ａを押し潰して拡げて行くことにより、円筒部２３ａの周縁部２３ａ１が上記雌型２４上に当接することとなる。これにより、透孔２１ａ及び脱水孔４に鳩目金具２２が嵌着される。しかして、そのような鳩目金具２２を周方向所要間隔置きに設ければ、バランサー本体２１を脱水槽３の周壁３ａ内周面に固定させることができる。それゆえ、本実施形態によれば、バランサー本体２１を脱水槽３の周壁３ａ内周面に固定させるにあたって、脱水槽３の周壁３ａに必ず設けられている脱水孔４を利用して鳩目金具２２によって固定させるだけでよいから、取り付け作業が簡単容易となる。なお、本実施形態においては、脱水槽３の周壁３ａ内周面に鳩目金具２２の雄型２３を設け、外周面に雌型２４を設けたが、勿論逆にしても良い。
【００２８】
次に、上記のように構成される脱水兼用洗濯機の使用方法を説明すると、洗濯時は、洗濯用軸１４を介して洗濯兼脱水槽３底部にある回転翼５が正逆回転されることによって洗濯される。この時、洗濯水及び濯ぎ水は、図４に示すトップカバー１６に設けられた給水口１７から水槽２に供給され、洗濯兼脱水槽３の脱水孔４及びバランサー本体２１の透孔２１ａを介して水槽２から脱水槽３内に溜められる。そして、洗濯後の排水は、排水ホース１８によって行われる。なお、排水ホース１８の取付端部側には排水弁１９が設けてある。
【００２９】
一方、脱水時には、脱水用軸１５を介して洗濯兼脱水槽３が図５の矢印Ｐの一方向に高速回転され、それによって脱水処理を行う。この脱水処理の際、洗濯兼脱水槽３内に入っている衣類などの被脱水処理物９が、図５に示すように周壁３ａの周方向の一部に片寄って位置する時は、その片寄った被脱水処理物９が遠心力を受けてバランサー２０のバランサー本体２１を押圧することにより、この押圧されたバランサー本体２１部分の流体Ｗは、図５の矢印Ｈで示すように直径方向反対側のバランサー本体２１部分側へと内部移動して、洗濯兼脱水槽３全体の重量バランスをとるようになる。これにより、洗濯兼脱水槽３の振動が抑制され、その振動による騒音や洗濯機全体のガタつきが軽減されることとなる。
【００３０】
ところで、脱水処理の際に、遠心力を受けた水は周壁３ａの脱水孔４及びバランサー本体２１の透孔２１ａを介して水槽２内に排出され、水槽２内から排水ホース１８を通して外部へ排出される。
【００３１】
以上説明した第１実施形態及び第２実施形に係る脱水機は、脱水兼用洗濯機を用いて説明したが、染色機の脱水機についても適用可能である。
【００３２】
また、上記流体Ｗとしては、水に限るものではなく、水と同等又はそれより高い粘度の種々の液体のほかに、粘度の大きいペースト状、クリーム状の流体更には粒状物からなる流体など、被脱水処理物９が脱水槽３の周壁３ａの周方向の一部に片寄って位置する時にその片寄った被脱水処理物９が遠心力を受けて環状チューブ８又はバランサー本体２１を押圧することにより、押圧されたチューブ８部分又はバランサー本体２１部分の流体が直径方向反対側のチューブ８部分又はバランサー本体２１部分側へとスムーズに内部移動し得る流体であればよい。
【符号の説明】
【００３３】
２            水槽
３            脱水槽
３ａ          周壁
４            脱水孔
７，２０      バランサー
８            環状チューブ
Ｗ            流体
９            被脱水処理物
１０          固定バンド
１１          抱持部
１２          取付片
２１          バランサー本体
２１ａ        透孔
２２          鳩目金具
【図１】
2011200631.tif 000003
【図２】
2011200631.tif 000004
【図３】
2011200631.tif 000005
【図４】
2011200631.tif 000006
【図５】
2011200631.tif 000007
【図６】
2011200631.tif 000008